【手続補正書】
【提出日】平成16年10月13日(2004.10.13)
【手続補正１】
【補正対象書類名】明細書
【補正対象項目名】０００５
【補正方法】変更
【補正の内容】
【０００５】
なお、ランプが点灯しているとき、ランプ電極間の電圧（管電圧）は、個々のランプによって異なり、また、点灯時間が長くなればなるほど、この管電圧は上がってくる。
ランプ電源は、この管電圧に応じて電流を調整し、ランプ電力を常に一定になるよう制御している。
ところが、点灯時間が長くなり、管電圧がある値より上がってしまうと、一定のランプ電力を維持するための電流が流せなくなり、ランプ電源の制御ができなくなる。
このようなランプ電源の制御ができない状態になると、ランプは所定の電力を出力できなくなり、段々暗くなってくる。
この「ランプ電源が制御できなくなる」状態を検出するため、ランプの管電圧を常時測定し、所定のある値以上になれば、制御できない状態になったと判断することができる。
【手続補正２】
【補正対象書類名】明細書
【補正対象項目名】００２２
【補正方法】変更
【補正の内容】
【００２２】
次に、使用中の第１のランプ１１が寿命等で劣化した場合の動作について説明する。
制御回路４１には、スイッチ３０を介して第１のランプ電源２１から第１のランプ１１が点灯状態であることを示すランプ点灯信号が入力されているが、さらに、第１の検出器５１の出力信号も入力されている。
そして、制御回路４１は、第１の検出器５１の出力信号に基づいて、第１のランプ１１が劣化していることを検知する。
このため、制御回路４１は、予備（待機中）のランプである第２のランプ１２も点灯するようにランプ電源２２を制御し、一定時間後に図示しないランプ移動機構に対して第２のランプ１２を投射位置に移動させる制御信号を出力する。
【手続補正３】
【補正対象書類名】明細書
【補正対象項目名】００２３
【補正方法】変更
【補正の内容】
【００２３】
また、同時に、スイッチ３０に対して、そのスイッチ位置を第２のランプ電源２２からのランプ点灯信号を選択するように設定させ、さらに、第１のランプ１１を消灯するように第１のランプ電源２１を制御する。
これにより、使用していた第１のランプ１１から予備のランプである第２のランプ１２への交換（即ち、切り換え）が完了する。
なお、第１の検出器５１および第２の検出器５２は、それぞれ対応するランプの出力レベルを検出できるものであれば何でも良い。
また、予備のランプおよびこれを駆動（点灯）させるランプ電源の組は、複数組設けた構成であっても良いことは言うまでもない。
また、ランプとこれを駆動（点灯）するランプ電源を一体として移動して交換する構成であっても良く、あるいはランプのみを移動させて交換する構成であっても良い。
【手続補正４】
【補正対象書類名】明細書
【補正対象項目名】００２９
【補正方法】変更
【補正の内容】
【００２９】
また、同時に、スイッチ３０に対して、そのスイッチ位置を第２のランプ電源２２からのランプ点灯信号を選択するように設定させ、さらに、第１のランプ１１を消灯するように第１のランプ電源２１を制御する。
これにより、使用していた第１のランプ１１から予備のランプである第２のランプ１２への交換（即ち、切り換え）が完了する。
なお、予備（待機中）のランプおよびこれを駆動（点灯）させるランプ電源の組は、複数組設けた構成であっても良いことは言うまでもない。
また、ランプとこれを駆動（点灯）するランプ電源を一体として移動して交換する構成であっても良く、あるいはランプのみを移動させて交換する構成であっても良い。
【手続補正５】
【補正対象書類名】明細書
【補正対象項目名】００３３
【補正方法】変更
【補正の内容】
【００３３】
次に動作について説明する。
図３において、今、第１のランプ１１が使用中であるとする。
このとき、スイッチ３０は、第１のランプ電源２１からのランプ点灯信号を選択して制御回路４２に出力している。
そして、制御回路４３は、スイッチ３０からのランプ点灯信号が点灯状態を示す信号であり、第１の電圧計７１が第１のランプ１１の管電圧が正常であることを示す信号出力している場合（即ち、第１の電圧計７１の出力信号がランプの劣化を検知するために設定された所定の値より小さい場合）、第１のランプ１１を所定の投射位置に配置させる制御信号を図示しないランプ移動機構に出力していると共に、スイッチ３０のスイッチ位置も第１のランプ電源２１からのランプ点灯信号を選択するように制御している。
さらに、制御回路４３は、第１のランプ１１のみが点灯するように第１のランプ電源２１および第２のランプ電源２２を制御している。
【手続補正６】
【補正対象書類名】明細書
【補正対象項目名】００３４
【補正方法】変更
【補正の内容】
【００３４】
次に、第１のランプ１１が寿命等で劣化し、管電圧が所定のレベルより上昇した場合の動作について説明する。
制御回路４３には、スイッチ３０を介して第１のランプ電源２１から第１のランプ１１が点灯状態であることを示すランプ点灯信号が入力されているが、さらに、第１の電圧計７１の出力信号も入力されている。
そして、制御回路４３は、入力された第１の電圧計７１の出力信号が、設定された所定の値より大きくなると、第１のランプ１１が劣化してきたと検知する。
即ち、制御回路４３は、第１の電圧計７１の出力信号に基づいて第１のランプ１１が劣化していることを検知する。
このため、制御回路４３は、予備のランプである第２のランプ１２も点灯するようにランプ電源２２を制御し、第２のランプ１２の出力が安定する一定時間後に図示しないランプ移動機構に対して第２のランプ１２を投射位置に移動させる制御信号を出力する。
【手続補正７】
【補正対象書類名】明細書
【補正対象項目名】００３５
【補正方法】変更
【補正の内容】
【００３５】
また、同時に、スイッチ３０に対して、そのスイッチ位置を第２のランプ電源２２からのランプ点灯信号を選択するように設定させ、さらに、第１のランプ１１を消灯するように第１のランプ電源２１を制御する。
これにより、使用していた第１のランプ１１から予備のランプである第２のランプ１２への交換が完了する。
なお、予備のランプおよびこれを駆動（点灯）させるランプ電源の組は、複数組設けた構成であっても良いことは言うまでもない。
また、ランプとこれを駆動（点灯）するランプ電源を一体として移動して交換する構成であっても良く、あるいはランプのみを移動させて交換する構成であっても良い。
【手続補正８】
【補正対象書類名】明細書
【補正対象項目名】００４０
【補正方法】変更
【補正の内容】
【００４０】
実施の形態５．
前述の実施の形態３によるランプ切換装置は、使用中のランプの管電圧が所定のレベル以上に上昇すると、予備のランプを一定時間点灯させた後に投射位置に移動させて切り換えるものであった。
これに対して、本実施の形態によるランプ切換装置は、使用中のランプの管電圧が所定のレベル以上に上昇すると、予備のランプを点灯させ、さらに、予備のランプの管電圧を測定する電圧計の出力の変化状態を監視し、管電圧が安定した後（即ち、予備のランプの管電圧を測定する電圧計の出力が安定した後、従って、予備のランプの出力レベルが安定した後）に、予備のランプを投射位置に移動させて切り換えることを特徴とする。
なお、本実施の形態によるランプ切換装置の基本的に構成および動作は、実施の形態３の場合と同様であるので、説明は省略する。
【手続補正９】
【補正対象書類名】明細書
【補正対象項目名】００４１
【補正方法】変更
【補正の内容】
【００４１】
一般的にランプの特性というものは、個々のばらつきが非常に大きいため、その出力が安定するまでの時間（従って、管電圧が安定するまでの時間）はランプによって大きく異なる。また、ランプの劣化の度合いも、ランプによって大きく異なる。
従って、前述の実施の形態３によるランプ切換装置では、設定時間（即ち、使用中のランプの管電圧が所定のレベル以上に上昇したことを検知して予備のランプを点灯させてから投射位置に移動させるまでの時間）が短い場合、ランプによっては未だ出力が安定しないうちに切り換えられる恐れがある。
また、この設定時間が長い場合、不必要に映像の途切れる時間が長くなると言うことが起こる。
【手続補正１０】
【補正対象書類名】明細書
【補正対象項目名】００４８
【補正方法】変更
【補正の内容】
【００４８】
また、同時に、スイッチ３０に対して、そのスイッチ位置を第２のランプ電源２２からのランプ点灯信号を選択するように設定させ、さらに、第１のランプ１１を消灯するように第１のランプ電源２１を制御する。
これにより、使用していた第１のランプ１１から予備のランプである第２のランプ１２への交換（即ち、切り換え）が完了する。